(57)【要約】【課題】搬入や設置が容易で、錆が発生しない水路用パネル、水路構造および水路構造の施工方法を提供する。【解決手段】合成樹脂から成り、長方形の板状であって、２つの長辺側縁部２１ａ，２１ｂと２つの短辺側縁部２２ａ，２２ｂと水路形成面２３と背面２４とを有している。各長辺側縁部２１ａ，２１ｂに、互いに対になる長辺側挿入片２６と長辺側受け部２５とを有している。各短辺側縁部２２ａ，２２ｂに、互いに対になる長さ方向係合部２７を有している。長辺側受け部２５および長さ方向係合部２７は、それぞれ底部と側壁とを有して水路形成面２３側が開放した細長い凹部から成っている。長辺側挿入片２６は、長辺側受け部２５の凹部と嵌合する細長いフックから成っている。接続用パネルおよび湾曲パネルとともに並べられ、長辺側挿入片と長辺側受け部とを嵌合し、長さ方向係合部同士を連結して、全体を断面Ｕ字状に構成する。【選択図】図１
2006183342.tif 000002
【特許請求の範囲】
【請求項１】
合成樹脂から成り長方形の板状であって２つの長辺側縁部と２つの短辺側縁部と水路形成面と背面とを有し、一方の長辺側縁部と他方の長辺側縁部とに互いに対になる幅方向係合部を有し、一方の短辺側縁部と他方の短辺側縁部とに互いに対になる長さ方向係合部を有することを、特徴とする水路用パネル。
【請求項２】
前記幅方向係合部は一方の長辺側縁部に設けられた長辺側挿入片と他方の長辺側縁部に設けられた長辺側受け部とから成り、前記長辺側受け部および前記長さ方向係合部はそれぞれ底部と側壁とを有して水路形成面側が開放した細長い凹部から成り、前記長辺側挿入片は前記長辺側受け部の凹部と嵌合する細長いフックから成ることを、特徴とする水路用パネル。
【請求項３】
請求項１または２記載の水路用パネルを複数と、複数の接続用パネルと、複数の湾曲パネルと、複数の連結部材と、複数の細長い補強材と、複数の梁材とを有し、
各接続用パネルは合成樹脂から成り横断面が平坦な長方形の板状であって前記水路用パネルの長辺側縁部と同じ長さの２つの長辺側縁部と２つの短辺側縁部と水路形成面と背面とを有し、各長辺側縁部に前記水路用パネルの１対の幅方向係合部の一方と同じ幅方向係合部を有し、一方の短辺側縁部と他方の短辺側縁部とに互いに対になる長さ方向係合部を有し、
各湾曲パネルは合成樹脂から成り横断面が湾曲した長方形の板状であって前記水路用パネルの長辺側縁部と同じ長さの２つの長辺側縁部と２つの短辺側縁部と水路形成面と背面とを有し、各長辺側縁部に前記水路用パネルの１対の幅方向係合部の他方と同じ幅方向係合部を有し、一方の短辺側縁部と他方の短辺側縁部とに互いに対になる長さ方向係合部を有し、
前記接続用パネルは２つの前記水路用パネルの間に挟まれてそれぞれ幅方向に並べられ、それらの水路用パネルのそれぞれに対し前記湾曲パネルが幅方向に並べられ、それらの湾曲パネルのそれぞれに対し他の前記水路用パネルが幅方向に並べられ、隣り合う各水路用パネルの幅方向係合部と前記接続用パネルの幅方向係合部、前記湾曲パネルの幅方向係合部と各水路用パネルの幅方向係合部とがそれぞれ係合されて、各水路用パネル、前記接続用パネルおよび各湾曲パネルの全体が断面Ｕ字状に構成され、
各連結部材は各水路用パネル、各接続用パネルおよび各湾曲パネルをそれぞれ長さ方向に並べて隣り合う各水路用パネル、各接続用パネルおよび各湾曲パネルの各長さ方向係合部を挟んで互いに連結し、
各補強材は前記水路用パネルで構成される１対の上縁に沿ってそれぞれ設けられ、
各梁材は前記１対の上縁に沿った各補強材の間に架け渡されていることを、
特徴とする水路構造。
【請求項４】
請求項１または２記載の水路用パネルを複数と、複数の接続用パネルと、複数の湾曲パネルと、複数の連結部材と、複数の細長い補強材と、複数の梁材とを使用し、
各接続用パネルは合成樹脂から成り横断面が平坦な長方形の板状であって前記水路用パネルの長辺側縁部と同じ長さの２つの長辺側縁部と２つの短辺側縁部と水路形成面と背面とを有し、各長辺側縁部に前記水路用パネルの１対の幅方向係合部の一方と同じ幅方向係合部を有し、一方の短辺側縁部と他方の短辺側縁部とに互いに対になる長さ方向係合部を有し、
各湾曲パネルは合成樹脂から成り横断面が湾曲した長方形の板状であって前記水路用パネルの長辺側縁部と同じ長さの２つの長辺側縁部と２つの短辺側縁部と水路形成面と背面とを有し、各長辺側縁部に前記水路用パネルの１対の幅方向係合部の他方と同じ幅方向係合部を有し、一方の短辺側縁部と他方の短辺側縁部とに互いに対になる長さ方向係合部を有し、
２つの前記水路用パネルの間に前記接続用パネルを挟んでそれぞれ幅方向に並べ、それらの水路用パネルのそれぞれに対し前記湾曲パネルを幅方向に並べ、それらの湾曲パネルのそれぞれに対し他の前記水路用パネルを幅方向に並べて、隣り合う各水路用パネルの幅方向係合部と前記接続用パネルの幅方向係合部、前記湾曲パネルの幅方向係合部と各水路用パネルの幅方向係合部とをそれぞれ係合することにより各水路用パネル、前記接続用パネルおよび各湾曲パネルの全体を断面Ｕ字状に構成し、
各水路用パネル、各接続用パネルおよび各湾曲パネルをそれぞれ長さ方向に並べて隣り合う各水路用パネル、各接続用パネルまたは各湾曲パネルの各長さ方向係合部を各連結部材により挟んで互いに連結し、
各補強材を前記水路用パネルで構成される１対の上縁に沿ってそれぞれ設け、
各梁材を前記１対の上縁に沿った各補強材の間に架け渡すことを、
特徴とする水路構造の施工方法。
【発明の詳細な説明】
【技術分野】
【０００１】
本発明は、水路用パネル、水路構造および水路構造の施工方法に関する。
【背景技術】
【０００２】
従来、雨水排水や生活排水、農業用水などに使用される一般的な用水路として、コンクリート製の用水路（例えば、特許文献１参照）や、鋼製のコルゲート用水路（例えば、特許文献２参照）がある。
【０００３】
【特許文献１】特開２００４−９２２５９号公報
【特許文献２】特開平１１−２２５６１１号公報
【発明の開示】
【発明が解決しようとする課題】
【０００４】
しかしながら、従来の一般的なコンクリート用水路やコルゲート用水路は、重くてかさばるため、搬入や設置に時間や労力を要するという課題がある。また、コルゲート用水路は、錆が発生するという課題もある。
【０００５】
本発明は、このような課題に着目してなされたもので、搬入や設置が容易で、錆が発生しない水路用パネル、水路構造および水路構造の施工方法を提供することを目的としている。
【課題を解決するための手段】
【０００６】
上記目的を達成するために、本発明に係る水路用パネルは、合成樹脂から成り長方形の板状であって２つの長辺側縁部と２つの短辺側縁部と水路形成面と背面とを有し、一方の長辺側縁部と他方の長辺側縁部とに互いに対になる幅方向係合部を有し、一方の短辺側縁部と他方の短辺側縁部とに互いに対になる長さ方向係合部を有することを、特徴とする。
【０００７】
本発明に係る水路用パネルは、水路形成面が同じ向きになるよう複数を幅方向に並べ、隣り合う各水路用パネルの対になる各幅方向係合部を互いに係合することができる。また、水路形成面が同じ向きになるよう複数を長さ方向に並べ、隣り合う各水路用パネルの対になる各長さ方向係合部を互いに係合することができる。これにより、幅方向および長さ方向に、任意の数だけ連結して水路を形成することができる。
【０００８】
本発明に係る水路用パネルは、合成樹脂から成るため、錆が発生せず、リサイクル可能であり、同じ大きさのコンクリートや鋼材に比べて軽量である。また、長方形の板状であるため積み重ねることができ、かさばらず、搬入や設置が容易である。
【０００９】
本発明に係る水路用パネルでは、前記幅方向係合部は一方の長辺側縁部に設けられた長辺側挿入片と他方の長辺側縁部に設けられた長辺側受け部とから成り、前記長辺側受け部および前記長さ方向係合部はそれぞれ底部と側壁とを有して水路形成面側が開放した細長い凹部から成り、前記長辺側挿入片は前記長辺側受け部の凹部と嵌合する細長いフックから成ることが好ましい。この構成では、長辺側挿入片のフックを、隣り合う水路用パネルの長辺側受け部の凹部と嵌合させることにより、複数の水路用パネルを幅方向に容易に連結することができる。また、フックと凹部とを嵌合させるため、各水路用パネルの幅方向に引っ張る力が作用したときに外れにくい。
【００１０】
本発明に係る水路構造は、本発明に係る水路用パネルを複数と、複数の接続用パネルと、複数の湾曲パネルと、複数の連結部材と、複数の細長い補強材と、複数の梁材とを有し、各接続用パネルは合成樹脂から成り横断面が平坦な長方形の板状であって前記水路用パネルの長辺側縁部と同じ長さの２つの長辺側縁部と２つの短辺側縁部と水路形成面と背面とを有し、各長辺側縁部に前記水路用パネルの１対の幅方向係合部の一方と同じ幅方向係合部を有し、一方の短辺側縁部と他方の短辺側縁部とに互いに対になる長さ方向係合部を有し、各湾曲パネルは合成樹脂から成り横断面が湾曲した長方形の板状であって前記水路用パネルの長辺側縁部と同じ長さの２つの長辺側縁部と２つの短辺側縁部と水路形成面と背面とを有し、各長辺側縁部に前記水路用パネルの１対の幅方向係合部の他方と同じ幅方向係合部を有し、一方の短辺側縁部と他方の短辺側縁部とに互いに対になる長さ方向係合部を有し、前記接続用パネルは２つの前記水路用パネルの間に挟まれてそれぞれ幅方向に並べられ、それらの水路用パネルのそれぞれに対し前記湾曲パネルが幅方向に並べられ、それらの湾曲パネルのそれぞれに対し他の前記水路用パネルが幅方向に並べられ、隣り合う各水路用パネルの幅方向係合部と前記接続用パネルの幅方向係合部、前記湾曲パネルの幅方向係合部と各水路用パネルの幅方向係合部とがそれぞれ係合されて、各水路用パネル、前記接続用パネルおよび各湾曲パネルの全体が断面Ｕ字状に構成され、各連結部材は各水路用パネル、各接続用パネルおよび各湾曲パネルをそれぞれ長さ方向に並べて隣り合う各水路用パネル、各接続用パネルおよび各湾曲パネルの各長さ方向係合部を挟んで互いに連結し、各補強材は前記水路用パネルで構成される１対の上縁に沿ってそれぞれ設けられ、各梁材は前記１対の上縁に沿った各補強材の間に架け渡されていることを、特徴とする。
【００１１】
本発明に係る水路構造の施工方法は、本発明に係る水路用パネルを複数と、複数の接続用パネルと、複数の湾曲パネルと、複数の連結部材と、複数の細長い補強材と、複数の梁材とを使用し、各接続用パネルは合成樹脂から成り横断面が平坦な長方形の板状であって前記水路用パネルの長辺側縁部と同じ長さの２つの長辺側縁部と２つの短辺側縁部と水路形成面と背面とを有し、各長辺側縁部に前記水路用パネルの１対の幅方向係合部の一方と同じ幅方向係合部を有し、一方の短辺側縁部と他方の短辺側縁部とに互いに対になる長さ方向係合部を有し、各湾曲パネルは合成樹脂から成り横断面が湾曲した長方形の板状であって前記水路用パネルの長辺側縁部と同じ長さの２つの長辺側縁部と２つの短辺側縁部と水路形成面と背面とを有し、各長辺側縁部に前記水路用パネルの１対の幅方向係合部の他方と同じ幅方向係合部を有し、一方の短辺側縁部と他方の短辺側縁部とに互いに対になる長さ方向係合部を有し、２つの前記水路用パネルの間に前記接続用パネルを挟んでそれぞれ幅方向に並べ、それらの水路用パネルのそれぞれに対し前記湾曲パネルを幅方向に並べ、それらの湾曲パネルのそれぞれに対し他の前記水路用パネルを幅方向に並べて、隣り合う各水路用パネルの幅方向係合部と前記接続用パネルの幅方向係合部、前記湾曲パネルの幅方向係合部と各水路用パネルの幅方向係合部とをそれぞれ係合することにより各水路用パネル、前記接続用パネルおよび各湾曲パネルの全体を断面Ｕ字状に構成し、各水路用パネル、各接続用パネルおよび各湾曲パネルをそれぞれ長さ方向に並べて隣り合う各水路用パネル、各接続用パネルまたは各湾曲パネルの各長さ方向係合部を各連結部材により挟んで互いに連結し、各補強材を前記水路用パネルで構成される１対の上縁に沿ってそれぞれ設け、各梁材を前記１対の上縁に沿った各補強材の間に架け渡すことを、特徴とする。
【００１２】
本発明に係る水路構造および水路構造の施工方法では、水路用パネル、接続用パネルおよび湾曲パネルの３種類のパネルにより、水路面を形成することができる。また、水路用パネルの幅方向の数を増減することにより、種々の幅および深さの水路を施工することができる。３種類のパネルの組み合わせで水路を構成することができるため、各パネルの在庫管理が容易で、施工現場で作業効率を向上させることができる。
【００１３】
水路用パネル、接続用パネルおよび湾曲パネルは合成樹脂から成るため、錆が発生せず、リサイクル可能であり、同じ大きさのコンクリートや鋼材に比べて軽量である。各補強材で上縁を補強し、各梁材により１対の上縁間の各補強材の間隔を保つことができるので、１対の上縁の間隔が水圧で拡がったり、土圧で狭まったりするのを防ぐことができる。水路構造の一部が壊れたときには、壊れた水路用パネル、接続用パネルまたは湾曲パネルだけを交換可能なため、補修が容易である。
【発明の効果】
【００１４】
本発明によれば、搬入や設置が容易で、錆が発生しない水路用パネル、水路構造および水路構造の施工方法を提供することができる。
【発明を実施するための最良の形態】
【００１５】
以下、図面に基づき、本発明の実施の形態について説明する。
図１乃至図７は、本発明の実施の形態の水路用パネル、水路構造および水路構造の施工方法を示している。
図１乃至図７に示すように、水路構造１は、複数の水路用パネル２と複数の接続用パネル３と複数の湾曲パネル４と複数の連結部材５と複数の細長い補強材６と複数の梁材７とを有している。
【００１６】
図１乃至図３に示すように、各水路用パネル２は、オレフィン系樹脂のポリプロピレン（ＰＰ）にタルクを混合した合成樹脂から成っている。各水路用パネル２は、長方形の板状であって、２つの長辺側縁部２１ａ，２１ｂと２つの短辺側縁部２２ａ，２２ｂと水路形成面２３と背面２４とを有している。各水路用パネル２は、一方の長辺側縁部２１ａと他方の長辺側縁部２１ｂとに、互いに対になる長辺側受け部２５と長辺側挿入片２６とを有している。長辺側受け部２５は、底部２５ａと側壁２５ｂとを有して水路形成面２３側が開放した細長い凹部２５ｃから成り、水路用パネル２の長さ全体にわたって設けられている。長辺側挿入片２６は、長辺側受け部２５の凹部２５ｃと嵌合する細長いフック２６ａから成り、水路用パネル２の長さ全体にわたって設けられている。
【００１７】
各水路用パネル２は、長辺側受け部２５の凹部２５ｃに他のパネルの長辺側挿入片２６のフック２６ａを嵌合したとき長さ方向にずれないよう、長辺側受け部２５の凹部２５ｃの両端にずれ防止壁２５ｄを有している。各水路用パネル２は、一方の短辺側縁部２２ａと他方の短辺側縁部２２ｂとに、互いに対になる長さ方向係合部２７を有している。各長さ方向係合部２７は、それぞれ底部２７ａと側壁２７ｂとを有して水路形成面２３側が開放した細長い凹部２７ｃから成り、水路用パネル２の幅全体にわたって設けられている。水路形成面２３は、平坦で滑らかに形成されている。背面２４は、長さ方向および幅方向に平行で格子状に設けられた複数の補強用のリブ２４ａを有している。
【００１８】
各水路用パネル２は、長辺側受け部２５の側壁２５ｂの両端部に切欠部２５ｅを有している。各切欠部２５ｅは、長辺側受け部２５の凹部２５ｃに他のパネルの長辺側挿入片２６のフック２６ａを嵌合するとき、他のパネル背面２４のリブ２４ａを嵌合可能になっている。各水路用パネル２は、長辺側受け部２５の側壁２５ｂ、各長さ方向係合部２７の底部２７ａおよび長辺側挿入片２６に沿って、隣り合うパネルを固定するための複数の固定孔２８を有している。また、各水路用パネル２は、水路形成面２３に、各長さ方向係合部２７の底部２７ａの固定孔２８の位置を明示するための三角表示２９を有している。
【００１９】
図４に示すように、各接続用パネル３は、オレフィン系樹脂のポリプロピレンにタルクを混合した合成樹脂から成っている。各接続用パネル３は、横断面が平坦な長方形の板状であって、各水路用パネル２の長辺側縁部２１ａ，２１ｂと同じ長さの２つの長辺側縁部３１ａ，３１ｂと、２つの短辺側縁部３２ａ，３２ｂと水路形成面３３と背面３４とを有している。各接続用パネル３は、各長辺側縁部３１ａ，３１ｂに各水路用パネル２の長辺側受け部２５と同じ長辺側受け部３５を有している。長辺側受け部３５は、底部３５ａと側壁３５ｂとを有して水路形成面３３側が開放した細長い凹部３５ｃから成り、接続用パネル３の長さ全体にわたって設けられている。
【００２０】
各接続用パネル３は、長辺側受け部３５の凹部３５ｃに水路用パネル２の長辺側挿入片２６のフック２６ａを嵌合したとき長さ方向にずれないよう、長辺側受け部３５の凹部３５ｃの両端にずれ防止壁３５ｄを有している。各接続用パネル３は、一方の短辺側縁部３２ａと他方の短辺側縁部３２ｂとに、互いに対になる長さ方向係合部３７を有している。各長さ方向係合部３７は、それぞれ底部３７ａと側壁３７ｂとを有して水路形成面３３側が開放した細長い凹部３７ｃから成り、接続用パネル３の幅全体にわたって設けられている。水路形成面３３は、平坦で滑らかに形成されている。背面３４は、長さ方向および幅方向に平行で格子状に設けられた複数の補強用のリブ３４ａを有している。
【００２１】
各接続用パネル３は、各長辺側受け部３５の側壁３５ｂの両端部に切欠部３５ｅを有している。各切欠部３５ｅは、長辺側受け部３５の凹部３５ｃに水路用パネル２の長辺側挿入片２６のフック２６ａを嵌合するとき、水路用パネル２の背面２４のリブ２４ａを嵌合可能になっている。各接続用パネル３は、各長辺側受け部３５の側壁３５ｂおよび各長さ方向係合部３７の底部３７ａに、隣り合うパネルを固定するための複数の固定孔３８を有している。また、各接続用パネル３は、水路形成面３３に、各長さ方向係合部３７の底部３７ａの固定孔３８の位置を明示するための三角表示３９を有している。
【００２２】
図５に示すように、各湾曲パネル４は、オレフィン系樹脂のポリプロピレンにタルクを混合した合成樹脂から成っている。各湾曲パネル４は、横断面が湾曲した長方形の板状であって、各水路用パネル２の長辺側縁部４１ａ，４１ｂと同じ長さの２つの長辺側縁部４１ａ，４１ｂと、２つの短辺側縁部４２ａ，４２ｂと水路形成面４３と背面４４とを有している。各湾曲パネル４は、各長辺側縁部４１ａ，４１ｂに各水路用パネル２の長辺側挿入片２６と同じ長辺側挿入片４６を有している。長辺側挿入片４６は、水路用パネル２の長辺側受け部２５の凹部２５ｃと嵌合する細長いフック４６ａから成り、湾曲パネル４の長さ全体にわたって設けられている。
【００２３】
各湾曲パネル４は、一方の短辺側縁部４２ａと他方の短辺側縁部４２ｂとに、互いに対になる長さ方向係合部４７を有している。各長さ方向係合部４７は、それぞれ底部４７ａと側壁４７ｂとを有して水路形成面４３側が開放した細長い凹部４７ｃから成り、湾曲パネル４の幅全体にわたって設けられている。水路形成面４３は、平坦で滑らかに形成されている。背面４４は、長さ方向および幅方向に平行で格子状に設けられた複数の補強用のリブ４４ａを有している。各湾曲パネル４は、各長さ方向係合部４７の底部４７ａおよび長辺側挿入片４６に沿って、隣り合うパネルを固定するための複数の固定孔４８を有している。また、各湾曲パネル４は、水路形成面４３に、各長さ方向係合部４７の底部４７ａの固定孔４８の位置を明示するための三角表示４９を有している。
【００２４】
なお、具体的な一例では、水路用パネル２は、長さが１８００ｍｍ、幅が３５０ｍｍ、４００ｍｍ、５５０ｍｍの三種類である。接続用パネル３は、長さが１８００ｍｍ、幅が３００ｍｍ、４００ｍｍ、５００ｍｍの三種類である。湾曲パネル４は、長さが１８００ｍｍ、曲率半径が２５０ｍｍである。
【００２５】
図７（ｄ）に示すように、各連結部材５は、ポリ塩化ビニル（ＰＶＣ）製で、細長く形成されている。各連結部材５は、パッキン材５１とカバー５２とを有している。パッキン材５１は、細長い底板部５１ａとその両縁部に沿って垂直に設けられた側板部５１ｂとを有している。底板部５１ａは、各水路用パネル２、各接続用パネル３および各湾曲パネル４の長さ方向係合部２７，３７，４７の側壁２７ｂ，３７ｂ，４７ｂの厚さの２倍の幅を有している。側板部５１ｂは、各水路用パネル２、各接続用パネル３および各湾曲パネル４の長さ方向係合部２７，３７，４７の側壁２７ｂ，３７ｂ，４７ｂの高さと同じ高さを有している。
【００２６】
カバー５２は、パッキン材５１を底板部５１ａおよび側板部５１ｂの外側から覆うよう、パッキン材５１より一回り大きく形成されている。カバー５２は、両側部に沿って、各水路用パネル２、各接続用パネル３および各湾曲パネル４の長さ方向係合部２７，３７，４７の底部２７ａ，３７ａ，４７ａの幅と同じ幅のフランジ部５２ａを有している。フランジ部５２ａは、複数の固定孔を有している。
図６に示すように、各補強材６は、細長く、断面がＬ型の鋼材から成っている。
図６に示すように、各梁材７は、細長い鋼材から成っている。
【００２７】
図６および図７に示すように、水路構造１は、以下の施工方法により施工される。
図６に示すように、２つの水路用パネル２ａ，２ｂの間に接続用パネル３を挟んでそれぞれ幅方向に並べ、図７（ａ）に示すように、接続用パネル３の各長辺側受け部３５の凹部３５ｃに、各水路用パネル２ａ，２ｂの長辺側挿入片２６のフック２６ａを嵌合する。図６に示すように、それらの水路用パネル２ａ，２ｂのそれぞれに対し他の水路用パネル２ｃ，２ｄを幅方向に並べ、図７（ｂ）に示すように、各水路用パネル２ａ，２ｂの各長辺側受け部２５の凹部２５ｃに、各水路用パネル２ｃ，２ｄの長辺側挿入片２６のフック２６ａを嵌合する。図６に示すように、それらの水路用パネル２ｃ，２ｄのそれぞれに対し湾曲パネル４ａ，４ｂを幅方向に並べ、図７（ｃ）に示すように、各水路用パネル２ｃ，２ｄの各長辺側受け部２５の凹部２５ｃに、各湾曲パネル４の長辺側挿入片４６のフック４６ａを嵌合する。図６（ａ）に示すように、それらの湾曲パネル４ａ，４ｂのそれぞれに対し他の水路用パネル２ｅ，２ｆを幅方向に並べ、図７（ｃ）に示すように、各湾曲パネル４ａ，４ｂの長辺側挿入片４６のフック４６ａを、各水路用パネル２ｅ，２ｆの各長辺側受け部２５の凹部２５ｃに嵌合する。さらに、図６（ａ）に示すように、それらの水路用パネル２ｅ，２ｆのそれぞれに対し他の水路用パネル２ｇ，２ｈを幅方向に並べ、各水路用パネル２ｅ，２ｆの長辺側挿入片２６のフック２６ａを、各水路用パネル２ｇ，２ｈの各長辺側受け部２５の凹部２５ｃに嵌合する。各水路用パネル２、接続用パネル３および各湾曲パネル４の、各長辺側受け部２５，３５の側壁２５ｂ，３５ｂの固定孔２８，３８と長辺側挿入片２６，４６に沿った固定孔２８，４８とを合わせ、そこにネジを貫通して固定する。こうして、図６に示すように、各水路用パネル２、接続用パネル３および各湾曲パネル４の全体を断面Ｕ字状に構成する。
【００２８】
図６（ｂ）に示すように、各水路用パネル２、各接続用パネル３および各湾曲パネル４をそれぞれ長さ方向に並べ、図７（ｄ）に示すように、隣り合う各水路用パネル２、各接続用パネル３または各湾曲パネル４の各長さ方向係合部２７，３７，４７の側壁２７ｂ，３７ｂ，４７ｂを、パッキン材５１の各側板部５１ｂの間に挟んで互いに連結する。さらに、パッキン材５１を覆うようにカバー５２を被せ、カバー５２のフランジ部５２ａの固定孔と各長さ方向係合部２７，３７，４７の底部２７ａ，３７ａ，４７ａの固定孔２８とを合わせ、そこにネジを貫通して固定する。
【００２９】
図６に示すように、水路用パネル２ｇ，２ｈで構成される１対の上縁１ａ，１ｂに沿って、各補強材６を取り付け、ボルトで水路用パネル２ｇ，２ｈに固定する。このとき、各補強材６の内側の２つの面が水路用パネル２ｇ，２ｈの上部と水路形成面２３に接するよう取り付ける。１対の上縁１ａ，１ｂに沿った各補強材６の間に、各梁材７を架け渡し、ボルトで各補強材６および水路用パネル２ｇ，２ｈに固定する。
【００３０】
次に、作用について説明する。
水路構造１および水路構造１の施工方法では、水路用パネル２、接続用パネル３および湾曲パネル４の３種類のパネルにより、水路面を形成することができる。また、水路用パネル２が幅方向に任意の数だけ連結可能であるため、水路用パネル２の幅方向の数を増減することにより、種々の幅および深さの水路を施工することができる。３種類のパネルの組み合わせで水路を構成することができるため、各パネルの在庫管理が容易で、施工現場で作業効率を向上させることができる。
【００３１】
各補強材６で上縁１ａ，１ｂを補強し、各梁材７により１対の上縁１ａ，１ｂ間の各補強材６の間隔を保つことができるので、１対の上縁１ａ，１ｂの間隔が水圧で拡がったり、土圧で狭まったりするのを防ぐことができる。水路構造１の一部が壊れたときには、壊れた水路用パネル２、接続用パネル３または湾曲パネル４だけを交換可能なため、補修が容易である。
【００３２】
水路用パネル２、接続用パネル３および湾曲パネル４は、合成樹脂から成るため、錆が発生せず、リサイクル可能であり、同じ大きさのコンクリートや鋼材に比べて軽量である。また、長方形の板状であるため積み重ねることができ、かさばらず、搬入や設置が容易である。長辺側挿入片２６，４６のフック２６ａ，４６ａを、隣り合うパネルの長辺側受け部２５，３５の凹部２５ｃ，３５ｃと嵌合させることにより、複数を幅方向に容易に連結することができる。また、フック２６ａ，４６ａと凹部２５ｃ，３５ｃとを嵌合させるため、幅方向に引っ張る力が作用したときに外れにくい。
【００３３】
水路用パネル２、接続用パネル３および湾曲パネル４は、ポリプロピレンにタルクを混合した合成樹脂から成っているため、剛性およびタップ強度が大きい。なお、ポリプロピレンにガラス繊維を混合した合成樹脂では、ガラス繊維が脱落して流水に混入する可能性があり、環境破壊のおそれがあるため、ガラス繊維の代わりにタルクを混合している。
【００３４】
水路用パネル２、接続用パネル３および湾曲パネル４は、産業廃棄物の合成樹脂製品をリサイクルすることにより製造される再利用製品とすることができる。また、連結部材５は、農業用ビニルハウスで使用されていたポリ塩化ビニル製のフィルムを、異型押出成型した再利用製品とすることができる。これにより、地球環境の保全や改善に寄与することができる。
【００３５】
水路構造１は、連結部材５の形状により、流水の速度を調整することができる。
なお、水路構造１は、既存のコンクリート製水路やコルゲート水路の内側に設けられてもよい。この場合、各梁材７として既存の水路のものを使用することができる。また、既存の水路が破損したときなどに、その水路を撤去することなく施工することができる。これにより、既存の水路の撤去費用や、廃棄物の処理にかかる費用を削減することができる。
【図面の簡単な説明】
【００３６】
【図１】本発明の実施の形態の水路用パネルを示す（ａ）平面図、（ｂ）正面図、（ｃ）右側面図である。
【図２】図１に示す水路用パネルの（ａ）底面図、（ｂ）背面図である。
【図３】図１に示す水路用パネルの（ａ）Ａ−Ａ線断面図、（ｂ）長さ方向係合部の拡大図、（ｃ）Ｂ−Ｂ線断面図、（ｄ）長辺側受け部の拡大図である。
【図４】本発明の実施の形態の水路構造の接続用パネルを示す（ａ）平面図、（ｂ）横断面図である。
【図５】本発明の実施の形態の水路構造の湾曲パネルを示す（ａ）平面図、（ｂ）横断面図である。
【図６】本発明の実施の形態の水路構造を示す（ａ）横断面図、（ｂ）平面図である。
【図７】図６に示す水路構造の（ａ）Ａ−Ａ線断面図、（ｂ）Ｂ−Ｂ線断面図、（ｃ）Ｃ−Ｃ線断面図、（ｄ）Ｄ−Ｄ線断面図である。
【符号の説明】
【００３７】
１    水路構造
２    水路用パネル
３    接続用パネル
４    湾曲パネル
５    連結部材
６    補強材
７    梁材
２１ａ，２１ｂ  長辺側縁部
２２ａ，２２ｂ  短辺側縁部
２３  水路形成面
２４  背面
２５  長辺側受け部
２５ａ  底部
２５ｂ  側壁
２５ｃ  凹部
２５ｄ  ずれ防止壁
２５ｅ  切欠部
２６  長辺側挿入片
２６ａ  フック
２７  長さ方向係合部
２７ａ  底部
２７ｂ  側壁
２７ｃ  凹部
２８  固定孔
２９  三角表示
【図１】
2006183342.tif 000003
【図２】
2006183342.tif 000004
【図３】
2006183342.tif 000005
【図４】
2006183342.tif 000006
【図５】
2006183342.tif 000007
【図６】
2006183342.tif 000008
【図７】
2006183342.tif 000009